Podtech/llm-jp-corpus-v4-ja_patent huggingface dataset:
【手続補正書】
【提出日】平成25年9月19日(2013.9.19)
【手続補正１】
【補正対象書類名】特許請求の範囲
【補正対象項目名】全文
【補正方法】変更
【補正の内容】
【特許請求の範囲】
【請求項１】
プラスチックフィルムの片方の面に非粘着層を備える粘着テープ用フィルムであって、
該非粘着層が相分離構造を有し、
該非粘着層がシリコーンと（メタ）アクリル系ポリマーの混合層であり、
該（メタ）アクリル系ポリマーの計算Ｔｇが１０℃以上である、
粘着テープ用フィルム。
【請求項２】
前記非粘着層の算術平均表面粗さＲａが０．１μｍ以上である、請求項１に記載の粘着テープ用フィルム。
【請求項３】
前記（メタ）アクリル系ポリマーのＳＰ値が９．０（ｃａｌ／ｃｍ３）０．５〜１２．０（ｃａｌ／ｃｍ３）０．５である、請求項１または２に記載の粘着テープ用フィルム。
【請求項４】
前記非粘着層中のシリコーンと（メタ）アクリル系ポリマーの混合比が、重量比で、シリコーン：（メタ）アクリル系ポリマー＝１：５０〜５０：１である、請求項１から３までのいずれかに記載の粘着テープ用フィルム。
【請求項５】
前記非粘着層の非粘着試験剥離力が１．０Ｎ／２０ｍｍ未満である、請求項１から４までのいずれかに記載の粘着テープ用フィルム。
【請求項６】
前記非粘着層の厚みが０．０１μｍ〜１０μｍである、請求項１から５までのいずれかに記載の粘着テープ用フィルム。
【請求項７】
前記プラスチックフィルムのＪＩＳ−Ｋ−７１２７に従って測定される最大伸びが１００％以上である、請求項１から６までのいずれかに記載の粘着テープ用フィルム。
【請求項８】
前記プラスチックフィルムの厚みが２０μｍ〜２００μｍである、請求項１から７までのいずれかに記載の粘着テープ用フィルム。
【請求項９】
前記プラスチックフィルムが少なくともポリ塩化ビニルを含む、請求項１から８までのいずれかに記載の粘着テープ用フィルム。
【請求項１０】
請求項１から９までのいずれかに記載の粘着テープ用フィルムにおける前記プラスチックフィルムの前記非粘着層と反対の面に粘着剤層を備える、粘着テープ。
【請求項１１】
前記粘着剤層が少なくとも１種の（メタ）アクリル系ポリマーを含む、請求項１０に記載の粘着テープ。
【請求項１２】
前記粘着剤層のＳＰ値が９．０（ｃａｌ／ｃｍ３）０．５〜１２．０（ｃａｌ／ｃｍ３）０．５である、請求項１０または１１に記載の粘着テープ。
【請求項１３】
前記粘着剤層の表面に剥離ライナーを備える、請求項１０から１２までのいずれかに記載の粘着テープ。
【請求項１４】
半導体加工に用いられる、請求項１０から１３までのいずれかに記載の粘着テープ。
【請求項１５】
ＬＥＤダイシング用途に用いられる、請求項１０から１４までのいずれかに記載の粘着テープ。
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
遊技動作を行う遊技装置と、この遊技装置を収納する筐体と、この筐体の前面の開口を塞ぐ前扉とを備えている遊技機であって、
前記前扉における一方の側縁部分において上下二箇所で前記筐体に前記前扉を回動可能に連結するヒンジと、
表示窓を有して前記前扉の上部に取り付けられる取付ベース体と、
遊技の状況に応じた演出動作を行う演出装置と、
外部から前記表示窓を通じて演出動作を視認できるように前記演出装置を内部に収納して、前記取付ベース体に取り付けられる演出装置収納箱と、
前記演出装置の動作を制御する制御回路が形成されている制御基板と、
前記制御基板を内部に収納して、前記演出装置収納箱の後面の一部が露出するように、前記演出装置収納箱の後面側に重ねて結合される基板収納箱と、を備え、
前記ヒンジのうち上方部分には、前記前扉に固定されて前記演出装置収納箱の前記後面の一部に重なるように近接する板状部材が設けられていることを特徴とする遊技機。
【手続補正２】
【補正対象書類名】明細書
【補正対象項目名】００１０
【補正方法】変更
【補正の内容】
【００１０】
（請求項１）
請求項１に記載の発明は、次の点を特徴とする。
すなわち、請求項１に記載の発明は、遊技動作を行う遊技装置(9E)と、この遊技装置(9E)を収納する筐体(２)と、この筐体(２)の前面の開口を塞ぐ前扉(３)とを備えている遊技機(１)であって、前記前扉(３)における一方の側縁部分において上下二箇所で前記筐体(２)に前記前扉(３)を回動可能に連結するヒンジと、表示窓(4E)を有して前記前扉(３)の上部に取り付けられる取付ベース体(22)と、遊技の状況に応じた演出動作を行う演出装置(9C)と、外部から前記表示窓(4E)を通じて演出動作を視認できるように前記演出装置(9C)を内部に収納して、前記取付ベース体(22)に取り付けられる演出装置収納箱(22C)と、前記演出装置(9C)の動作を制御する制御回路が形成されている制御基板(9K)と、前記制御基板(9K)を内部に収納して、前記演出装置収納箱(22C)の後面の一部が露出するように、前記演出装置収納箱(22C)の後面側に重ねて結合される基板収納箱(22B)と、を備え、前記ヒンジ(８)のうち上方部分には、前記前扉(３)に固定されて前記演出装置収納箱(22C)の前記後面の一部に重なるように近接する板状部材が設けられている。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
（請求項１の効果）
以上のように構成されている本発明は、以下に記載されるような効果を奏する。
すなわち、請求項１に記載の発明によれば、制御基板を基板収納箱内に収納するとともに、演出装置を演出装置収納箱内に収納した状態で、基板ケースを取付ベース体に接合することで、演出装置を取付ベース体に固定することができるので、これにより、演出装置とその制御基板を収納した基板ケースとが一体化され、前述したように、遊技機の外観と演出動作との齟齬を生させることなく、他の機種と判別を容易にすることができる。
また、前扉に配置された二つのヒンジのうち、一方のヒンジを取付ベース体に結合し、このヒンジを介して取付ベース体を筐体に連結することによって、基板ケースが取付ベース体及びヒンジを介して筐体に連結されるようにしたので、前扉の荷重を取付ベース体にも加わるようになり、取付ベース体は、充分な強度と剛性とが確保されたものとなる。
ここで、制御基板を収納した基板ケースが取付ベース体に接合されていることから、制御基板を遊技機から取り外すためには、取付ベース体を筐体から分離しなければならないが、前述したように、取付ベース体は、充分な強度と剛性とが確保されているうえ、ヒンジを介して筐体に結合されているので、前扉を閉鎖した状態では、取付ベース体を筐体から短時間で取り外すことができず、このため、制御基板を不正に奪取することもできず、奪取された制御基板による不正行為も防止され、従って、不正行為の防止を十分に図ることができ、これにより、前記目的が達成される。
【手続補正５】
【補正対象書類名】明細書
【補正対象項目名】００１３
【補正方法】削除
【補正の内容】
【手続補正６】
【補正対象書類名】明細書
【補正対象項目名】００３９
【補正方法】変更
【補正の内容】
【００３９】
また、取付ベース体22は、図５の如く、二つの二軸ヒンジ８のうち、上方に配置された二軸ヒンジ８の扉側部8Aが図５中右上の角隅部22Aに、図６に示すように、ネジ24の接合によって結合されたものとなっている。
ここで、前扉３における二軸ヒンジ８の扉側部8Aが結合された二つの結合部分にうち、上方の二軸ヒンジ８の扉側部8Aが結合された部分は、取付ベース体22となっている。
このため、取付ベース体22は、前扉３の荷重の一部分を負担するものであり、前扉３の荷重の一部分を負担するために、充分な強度と剛性とが確保されたものとなっている。
【手続補正書】
【提出日】平成25年8月16日(2013.8.16)
【手続補正１】
【補正対象書類名】特許請求の範囲
【補正対象項目名】全文
【補正方法】変更
【補正の内容】
【特許請求の範囲】
【請求項１】
エアフィルタカートリッジであって、
（ａ）前記エアフィルタカートリッジは、流入端部とその反対側の流出端部と非円形の外周面とを有する濾材積層体を備え、
（ｂ）前記エアフィルタカートリッジは、前記流入端部の近傍で、前記濾材積層体の上に搭載されて前記濾材積層体に固定された枠部材を備え、
（ｉ）前記枠部材は、前記流入端部にわたって広がり前記流入端部に隣接する構造を有し、
（ｉｉ）前記枠部材は、前記濾材積層体の周りの全周に延びる帯状部を有し、
（ｃ）前記エアフィルタカートリッジは、前記枠部材に取り付けられ前記濾材積層体の周りの全周に延び前記流入端部と前記流出端部の間に配置された軸方向シール部材を備える、
ことを特徴とするエアフィルタカートリッジ。
【請求項２】
前記流入端部にわたって広がり前記流入端部に隣接する構造の前記枠部材は、前記帯状部の全周にわたって前記帯状部から半径方向内側に延びるリップを含む、ことを特徴とする請求項１に記載のエアフィルタカートリッジ。
【請求項３】
前記非円形の外周面は、対向しあう一対の直線部と対向しあう一対の丸い端部とを含む、ことを特徴とする請求項１に記載のエアフィルタカートリッジ。
【請求項４】
前記流入端部にわたって広がり前記流入端部に隣接する構造の前記枠部材は、前記濾材積層体の前記流入端部にわたって延び、前記濾材積層体の対向しあう一対の直線部に設置された前記帯状部から延びる筋交いを有する、ことを特徴とする請求項１に記載のエアフィルタカートリッジ。
【請求項５】
前記濾材積層体は、平らな濾材に固定された波形の濾材を巻いた構造を有する、ことを特徴とする請求項１に記載のエアフィルタカートリッジ。
【請求項６】
前記枠部材は、前記濾材積層体から離れて前記濾材積層体の周りの全周に延びる突出部を有し、前記突出部は、前記軸方向シール部材を受容する、ことを特徴とする請求項１に記載のエアフィルタカートリッジ。
【請求項７】
エアクリーナであって、
（ａ）前記エアクリーナは、主要なエアクリーナ部と前記主要なエアクリーナ部に脱離可能に搭載されたカバーとを備え、
（ｂ）前記エアクリーナは、前記主要なエアクリーナ部内に配置されたエアフィルタカートリッジを備え、
（ｉ）前記エアフィルタカートリッジは、流入端部とその反対側の流出端部と非円形の外周面とを有する濾材積層体を備え、
（ｉｉ）前記エアフィルタカートリッジは、前記流入端部の近傍で、前記濾材積層体の上に搭載されて前記濾材積層体に固定された枠部材を備え、
（Ａ）前記枠部材は、前記流入端部にわたって広がり前記流入端部に隣接する構造を有し、
（Ｂ）前記枠部材は、前記濾材積層体の周りの全周に延びる帯状部を有し、
（ｉｉｉ）前記エアフィルタカートリッジは、前記枠部材に取り付けられ前記濾材積層体の周りの全周に延び前記流入端部と前記流出端部の間に配置された軸方向シール部材を備え、前記カバーを前記主要なエアクリーナ部に取り付けることによって前記軸方向シール部材が圧縮されてシールが形成される、
ことを特徴とするエアクリーナ。
【請求項８】
前記軸方向シール部材は、前記主要なエアクリーナ部と前記枠部材との間で圧縮される、ことを特徴とする請求項７に記載のエアクリーナ。
【請求項９】
前記流入端部にわたって広がり前記流入端部に隣接する構造の前記枠部材は、前記帯状部の全周にわたって前記帯状部から半径方向内側に延びるリップを含む、ことを特徴とする請求項８に記載のエアクリーナ。
【請求項１０】
前記カバーは、その中に複数の遠心分離装置を含む空気流入口と、前記ハウジング内で前記濾材積層体の下流に搭載された安全エレメントとを備える、ことを特徴とする請求項７に記載のエアクリーナ。
【手続補正書】
【提出日】平成25年11月5日(2013.11.5)
【手続補正１】
【補正対象書類名】特許請求の範囲
【補正対象項目名】全文
【補正方法】変更
【補正の内容】
【特許請求の範囲】
【請求項１】
２つのビュー間参照ピクチャのリストのうちの少なくとも１つを用いてビットストリームからのピクチャ中のブロックを復号するデコーダであって、前記ピクチャはマルチビュービデオコンテンツに対応するピクチャのセットのうちの１つであり、そして同じまたは類似のシーンに対して異なるビューポイントを有しており、前記ピクチャは前記異なるビューポイントのうちの現在のビューポイントを表しており、前記２つのビュー間参照ピクチャのリストは前記現在のビューポイント以外の前記異なるビューポイントのうちの１つを有する参照ピクチャに対応する、前記デコーダを含み、前記ビュー間参照ピクチャの数および前記ビュー間参照ピクチャに対応するビュー識別子が前記２つのビュー間参照ピクチャのリストの各々のビットストリーム内に示されている、ビデオデコーダ。
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
情報を処理する方法であって、
プログラムのデータ内容を復元するのに使用するプログラム・マップ情報にベース・パケット識別子（ＰＩＤ）を割り当てるステップと、
第１のデータストリームに前記ベースＰＩＤに対して第１の所定のオフセット値を有する第１のＰＩＤを該第１のデータストリームの識別のために割り当てるステップであって、当該第１のデータストリームが前記プログラムを構成するデータストリームを含み得る、前記ステップと、
第２のデータストリームに前記ベースＰＩＤに対して第２の所定のオフセット値を有する第２のＰＩＤを該第２のデータストリームの識別のために割り当てるステップであって、当該第２のデータストリームが前記プログラムを構成するデータストリーム、あるいは前記プログラムに関連するユーザが規定した個人的データストリームを含み得る、前記ステップと、
前記第１および第２のデータストリームを記録媒体に記録するステップと、
を含む、前記方法。
【手続補正２】
【補正対象書類名】明細書
【補正対象項目名】発明の名称
【補正方法】変更
【補正の内容】
【発明の名称】プログラムを記録するための情報の処理方法
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
プレイヤによって操作される端末装置に通信回線を介して接続され、ゲームを提供する装置であって、
少なくとも複数のゲーム媒体に関する情報を記憶する情報記憶手段と、
前記情報記憶手段から複数のゲーム媒体に関する情報を読み取って、該複数のゲーム媒体の中から特定の基準を満たす複数の特定ゲーム媒体を１つのゲーム媒体群として識別する第１の識別手段と、
前記１つのゲーム媒体群を構成する前記複数の特定ゲーム媒体の枚数を識別する第２の識別手段と、
複数のゲーム媒体を表示する画面であって、第１表示モードのときには該複数のゲーム媒体の各々を１つの単位表示領域に配置し、第２表示モードのときには前記１つのゲーム媒体群を識別する第１情報と該１つのゲーム媒体群を構成する前記複数の特定ゲーム媒体の枚数を識別する第２情報とを１つの単位表示領域に配置し、該第１表示モード又は該第２表示モードを選択するためのボタンを有する所定の画面を前記端末装置の表示部に表示させる制御手段と、
を具備する装置。
【請求項２】
前記第２情報は、文字として表現されるか、又は、前記枚数のゲーム媒体が重なり合った図形として表現される、請求項１に記載の装置。
【請求項３】
前記特定の基準が、特定のパラメータの内容が同一であるゲーム媒体であるという基準
である、請求項１または請求項２に記載の装置。
【請求項４】
プレイヤによって操作される端末装置と、通信回線を介して該端末装置に接続され、ゲームを提供する装置と、を含むゲームシステムであって、
少なくとも複数のゲーム媒体に関する情報を記憶する情報記憶手段と、
前記情報記憶手段から複数のゲーム媒体に関する情報を読み取って、該複数のゲーム媒体の中から特定の基準を満たす複数の特定ゲーム媒体を１つのゲーム媒体群として識別する第１の識別手段と、
前記１つのゲーム媒体群を構成する前記複数の特定ゲーム媒体の枚数を識別する第２の識別手段と、
複数のゲーム媒体を表示する画面であって、第１表示モードのときには該複数のゲーム媒体の各々を１つの単位表示領域に配置し、第２表示モードのときには前記１つのゲーム媒体群を識別する第１情報と該１つのゲーム媒体群を構成する前記複数の特定ゲーム媒体の枚数を識別する第２情報とを１つの単位表示領域に配置し、該第１表示モード又は該第２表示モードを選択するためのボタンを有する所定の画面を前記端末装置の表示部に表示させる制御手段と、
を具備するゲームシステム。
【請求項５】
プレイヤによって操作される端末装置に通信回線を介して接続され、少なくとも複数の
ゲーム媒体に関する情報を記憶する情報記憶手段にアクセス可能なコンピュータを、
前記情報記憶手段から複数のゲーム媒体に関する情報を読み取って、該複数のゲーム媒体の中から特定の基準を満たす複数の特定ゲーム媒体を１つのゲーム媒体群として識別する手段、
前記１つのゲーム媒体群を構成する前記複数の特定ゲーム媒体の枚数を識別する手段、
複数のゲーム媒体を表示する画面であって、第１表示モードのときには該複数のゲーム媒体の各々を１つの単位表示領域に配置し、第２表示モードのときには前記１つのゲーム媒体群を識別する第１情報と該１つのゲーム媒体群を構成する前記複数の特定ゲーム媒体の枚数を識別する第２情報とを１つの単位表示領域に配置し、該第１表示モード又は該第２表示モードを選択するためのボタンを有する所定の画面を前記端末装置の表示部に表示させる手段、
として機能させるゲームプログラム。
【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
ＧＩまたは燃焼速度を減少させる特徴を有する、サトウキビ生成物に由来する抽出物であって、
抽出物１００ｇ当たり２０５４〜２７３３ｍｇＣＥフェノール類量の一つ以上のポリフェノール、
抽出物１００ｇ当たり３７〜５２ｇのスクロース、抽出物１００ｇ当たり７．５〜１０．３ｇのグルコース、及び抽出物１００ｇ当たり８．９〜１３．２ｇのフルクトースを含む一つ以上の炭水化物、
一つ以上の無機物、並びに
抽出物１００ｇ当たり５００〜５９７ｍｇのシス−アコニット酸及び抽出物１００ｇ当たり１６８８〜２２１０ｍｇのトランス−アコニット酸を含む一つ以上の有機酸を含み、
抽出物１００ｇ当たり６５０〜８９９ｍｇのＧＡＥ酸化防止剤活性を有する抽出物。
【請求項２】
サトウキビ生成物が廃糖蜜である、請求項１に記載の抽出物。
【請求項３】
廃糖蜜の限外濾過物である、請求項２に記載の抽出物。
【請求項４】
請求項１〜３のいずれか一項に記載の抽出物を含む食料品。
【請求項５】
請求項１〜３のいずれか一項に記載の抽出物を含浸させているか、又は含有する食品用成分。
【請求項６】
（ａ）結果として生じる溶液またはマトリックスの粘度が、４０〜６０℃の範囲内の温度において約１００センチポアズ若しくはそれ以下、又は３０〜５０ブリックスになるまで、サトウキビ由来生成物を加熱および希釈する工程と、
（ｂ）工程（ａ）の前記生成物を７０〜８０℃の範囲内の温度に加熱し、次いで不溶性カルシウムおよびマグネシウム塩の沈殿物が形成するまで、ある時間これをその温度範囲内に維持する工程と、
（ｃ）前記沈殿物および大きい微粒子物質を、工程（ｂ）で生成された前記混合物から除去する工程と、
（ｄ）工程（ｃ）からの前記生成物を１００ｋＤａ〜１ｋＤａの限外濾過膜に通し、所望の抽出物を単離する工程と
を含む、サトウキビに由来する抽出物の生成方法であって、
前記サトウキビ由来生成物が、清澄化シロップ、濃縮シロップ、糖蜜、一次ミル廃糖蜜および精製所廃糖蜜、ゴールデンシロップ、ブラウンシュガー、バガス、ビオダンダ、畑屑、サトウキビストリッピング、髄、成長している尖端、パルプ、ミルマッド、およびこれらの混合物の供給原料ストリームからなる群から選択される方法。
【請求項７】
工程（ｂ）において調製される混合物を、０．１〜０．５ミクロンの細孔サイズのセラミックまたはステンレス鋼膜に通す、請求項６に記載の方法。
【請求項８】
工程（ｃ）からの生成物を、３５〜５０℃の温度で３０ｋＤａの限外濾過膜に通す、請求項６又は７に記載の方法。
【請求項９】
限外濾過物が、０．５ｋＤａナノ濾過膜を用いてさらに濾過される、請求項８に記載の方法。
【請求項１０】
限外濾過物が、ＸＡＤを用いてさらに加工処理される、請求項８又は９に記載の方法。
【請求項１１】
サトウキビ由来生成物が廃糖蜜である、請求項６〜１０のいずれか一項に記載の方法。
【請求項１２】
工程（ａ）の生成物が、工程（ｂ）で加熱される前に遠心分離される、請求項６〜１１のいずれかに記載の方法。
【請求項１３】
工程（ａ）の生成物のｐＨが、工程（ｂ）で加熱される前に＞７に調整される、請求項６〜１１のいずれかに記載の方法。
【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
半導体の試験データ内の外れ値を識別するための半導体試験データ解析システムであって、
該試験データを格納するように構成されたメモリと、
該メモリに接続されたプロセッサと
を備え、該プロセッサは、
該試験データをメモリから検索することと、
該試験データを外れ値の上限閾値および外れ値の下限閾値と比較し、該外れ値の上限閾値および該外れ値の下限閾値は、該試験データの度数分布の中央値から導出される、ことと、
該試験データの該外れ値の上限閾値および該外れ値の下限閾値との比較に従って、該試験データが外れ値を含むかどうかを判断することと、
前記外れ値を分類することと、
試験の不良および前記外れ値に基いてコンポーネントを分類することと
を行うように構成される、半導体試験データ解析システム。
【請求項２】
前記外れ値の上限閾値は、第３の四分位点から導出され、
前記外れ値の下限閾値は、第１の四分位点から導出される、請求項１に記載の半導体試験データ解析システム。
【請求項３】
前記閾値は、前記中央値に対して非対称である、請求項１に記載の半導体試験データ解析システム。
【請求項４】
前記プロセッサは、前記度数分布の傾きに従って、前記閾値を調整するように構成される、請求項１に記載の半導体試験データ解析システム。
【請求項５】
前記プロセッサは、前記外れ値の大きさに従って、該外れ値を分類するように構成される、請求項１に記載の半導体試験データ解析システム。
【請求項６】
前記プロセッサは、前記閾値のうちの少なくとも１つと前記分布のエッジとの間の範囲に従って、カテゴリを前記外れ値に割り当てるように構成される、請求項１に記載の半導体試験データ解析システム。
【請求項７】
前記プロセッサは、少なくとも２つのパラメータに対応するデータの相関に従って、前記試験データが外れ値を含むかどうかを判断するように構成される、請求項１に記載の半導体試験データ解析システム。
【請求項８】
半導体試験データ内の外れ値を識別する方法であって、
該試験データに従って、外れ値の上限閾値および外れ値の下限閾値を確立することであって、該外れ値の上限閾値および該外れ値の下限閾値は、該試験データの度数分布の中央値から導出されることと、
該試験データを該外れ値の上限閾値およびＬＣＬと比較することと
該試験データのＵＣＬおよびＬＣＬとの比較に従って、該試験データ内の外れ値を識別することと、
前記外れ値を分類することと、
試験の不良および前記外れ値に基いてコンポーネントを分類することと
を含む、外れ値を識別する方法。
【請求項９】
前記外れ値の上限閾値を確立することは、第３の四分位点を識別することを含み、
前記外れ値の上限閾値を確立することは、第１の四分位点を識別することを含む、請求項８に記載の外れ値を識別する方法。
【請求項１０】
前記閾値は、前記中央値に対して非対称である、請求項８に記載の外れ値を識別する方法。
【請求項１１】
前記外れ値の上限閾値および前記外れ値の下限閾値を確立することは、前記度数分布の傾きに従って該閾値を調整することを含む、請求項８に記載の外れ値を識別する方法。
【請求項１２】
前記外れ値の大きさに従って、該外れ値を分類することをさらに含む、請求項８に記載の外れ値を識別する方法。
【請求項１３】
前記閾値のうちの少なくとも１つと前記分布のエッジとの間の範囲に従って、カテゴリを前記外れ値に割り当てることをさらに含む、請求項８に記載の外れ値を識別する方法。
【請求項１４】
少なくとも２つのパラメータに対応するデータの相関に従って、前記試験データが外れ値を含むかどうかを判断することをさらに含む、請求項８に記載の外れ値を識別する方法。
【請求項１５】
コンピュータにプロセスを実行させるための命令を格納する媒体であって、該プロセスは、
一連の半導体試験データをメモリから検索することと、
外れ値の上限閾値および外れ値の下限閾値を確立することであって、該外れ値の上限閾値および該外れ値の下限閾値は、該試験データの度数分布の中央値から導出される、ことと、
該試験データを該外れ値の上限閾値および該外れ値の下限閾値と比較することと、
該試験データの該外れ値の上限閾値および該外れ値の下限閾値との比較に従って、該試験データが外れ値を含むかどうかを判断することと
前記外れ値を分類することと、
試験の不良および前記外れ値に基いてコンポーネントを分類することと
を含む、媒体。
【請求項１６】
前記外れ値の上限閾値を確立することは、第３の四分位点を識別することを含み、
前記外れ値の上限閾値を確立することは、第１の四分位点を識別することを含む、請求項１５に記載の媒体。
【請求項１７】
前記閾値は、前記中央値に対して非対称である、請求項１５に記載の媒体。
【請求項１８】
前記外れ値の上限閾値および前記外れ値の下限閾値を確立することは、前記度数分布の傾きに従って該閾値を調整することを含む、請求項１５に記載の媒体。
【請求項１９】
前記プロセスは、前記外れ値の大きさに従って、該外れ値を分類することをさらに含む、請求項１５に記載の媒体。
【請求項２０】
前記プロセスは、前記閾値のうちの少なくとも１つと前記分布のエッジとの間の範囲に従って、カテゴリを前記外れ値に割り当てることをさらに含む、請求項１５に記載の媒体。
【請求項２１】
前記プロセスは、少なくとも２つのパラメータに対応するデータの相関に従って、前記試験データが外れ値を含むかどうかを判断することをさらに含む、請求項１５に記載の媒体。
【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
固定筒に対して変位する光学部品を含む光学系と、
前記光学部品を保持する保持枠と、
前記保持枠に結合され、前記光学系の光軸と平行に延在する案内軸と、
合焦する場合に前記案内軸を前記光軸方向に移動させ、変倍する場合に前記案内軸を保持する直進駆動部と、
前記直進駆動部を保持し、変倍する場合に前記固定筒に対して移動可能な保持筒と
を備えるレンズ鏡筒。
【請求項２】
前記光軸に対して傾斜するカム溝と、前記カム溝に係合するカムピンとの一方を有し、変倍する場合に前記光軸の回りに回転する駆動環を備え、
前記保持筒は、前記カム溝と前記カムピンとの他方を有し、変倍する場合に前記光軸方向に移動する請求項１に記載のレンズ鏡筒。
【請求項３】
前記カムピンは、前記光学部品の周方向について、前記案内軸の近傍に配される請求項２に記載のレンズ鏡筒。
【請求項４】
前記案内軸は、前記案内軸の周面と相補的な形状の嵌合穴に挿通され、軸方向に摺動自在に位置決めされる請求項１から請求項３までのいずれかに記載のレンズ鏡筒。
【請求項５】
前記保持筒は、前記直進駆動部を前記光軸方向に挟んで配された一対の嵌合部を有し、
前記一対の嵌合部の各々は、前記案内軸の周面と相補的な形状の嵌合穴を有する請求項４に記載のレンズ鏡筒。
【請求項６】
前記レンズ鏡筒の外部から操作されて前記光軸の回りを回転する操作環と、
前記操作環の回転量を検出する回転検出部と
を備え、
前記直進駆動部は、前記回転検出部が検出した回転量に応じて前記案内軸を前記光軸方向に移動させる請求項１から請求項５までのいずれかに記載のレンズ鏡筒。
【請求項７】
前記直進駆動部により駆動された前記案内軸の移動量を検出する直進検出部と、
前記直進検出部の検出結果に応じて前記直進駆動部の駆動量を制御する制御部と
を更に備える請求項１から請求項６までのいずれかに記載のレンズ鏡筒。
【請求項８】
請求項１から請求項７までのいずれかに記載のレンズ鏡筒と、
前記レンズ鏡筒により結像された像を記録する撮像部と
を備える撮像装置。
【手続補正２】
【補正対象書類名】明細書
【補正対象項目名】０００５
【補正方法】変更
【補正の内容】
【０００５】
そこで、上記課題を解決すべく、本発明の第１の態様として、固定筒に対して変位する光学部品を含む光学系と、光学部品を保持する保持枠と、保持枠に結合され、光学系の光軸と平行に延在する案内軸と、合焦する場合に案内軸を光軸方向に移動させ、変倍する場合に案内軸を保持する直進駆動部と、直進駆動部を保持し、変倍する場合に固定筒に対して移動可能な保持筒とを備えるレンズ鏡筒が提供される。
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
基材と、該基材の表面に形成された触媒コート層と、を備える排ガス浄化用触媒であって、
前記触媒コート層は、前記基材表面に近い方を下層とし相対的に遠い方を上層とする上下層を有する積層構造に形成されており、
前記触媒コート層は、貴金属触媒としてＲｈとＰｄとを備えており、
前記触媒コート層は、担体として酸素吸蔵能を有するＯＳＣ材を備えており、
前記Ｒｈは、前記触媒コート層の上層に配置されており、
前記Ｐｄは、前記触媒コート層の上層と下層の双方に配置されており、
前記上層において、前記Ｒｈを担持している担体は、Ｙ２Ｏ３を含むＺｒＯ２複合酸化物からなり、
前記上層および下層において、前記Ｐｄの少なくとも一部は前記ＯＳＣ材に担持されており、
前記下層に配置されたＰｄに対する前記上層に配置されたＰｄの質量比が、０．０１以上０．４以下である、排ガス浄化用触媒。
【請求項２】
前記上層および下層において、前記Ｐｄの少なくとも一部を担持しているＯＳＣ材は、ＣｅＯ２またはＣｅＯ２−ＺｒＯ２複合酸化物からなる、請求項１に記載の排ガス浄化用触媒。
【請求項３】
前記上層に配置されたＰｄに対するＲｈの質量比が、１．２５〜５である、請求項１または２に記載の排ガス浄化用触媒。
【請求項４】
前記下層に配置されたＰｄに対する前記上層に配置されたＰｄの質量比が、０．０６〜０．３２である、請求項１〜３の何れか一つに記載の排ガス浄化用触媒。
【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
肝細胞増殖因子をコードする核酸を含有するリンパ管形成促進剤。
【請求項２】
前記肝細胞増殖因子が、配列番号１で示されるアミノ酸配列を有するポリペプチド又は配列番号１で示されるアミノ酸配列と少なくとも９０％のアミノ酸配列同一性を有しかつ肝細胞増殖因子活性を有する類似体である、リンパ管形成促進剤。
【請求項３】
前記肝細胞増殖因子が、配列番号１のアミノ酸55〜728で示されるアミノ酸配列を有するポリペプチド又は配列番号１のアミノ酸55〜728で示されるアミノ酸配列と少なくとも９０％のアミノ酸配列同一性を有しかつ肝細胞増殖因子活性を有する類似体である、リンパ管形成促進剤。
【請求項４】
請求項１〜３のいずれか１項に記載のリンパ管形成促進剤を含んで成る、乾癬の治療のための製剤。
【請求項５】
請求項１〜３のいずれか１項に記載のリンパ管形成促進剤を含んで成る、酒さ性皮膚病の治療のための製剤。
【請求項６】
局所投与又は非経口投与用に処方された、請求項４又は５に記載の製剤。
【請求項７】
液体溶液、分散液、懸濁液、錠剤、丸剤、散剤、リポソーム又は座剤として製剤化された、請求項６に記載の製剤。
【請求項８】
賦形剤をさらに含んで成る、請求項１〜３のいずれか１項のリンパ管形成促進剤。
【請求項９】
制御放出剤をさらに含んで成る、請求項１〜３のいずれか１項のリンパ管形成促進剤。
【請求項１０】
賦形剤をさらに含んで成る、請求項４また５に記載の製剤。
【請求項１１】
制御放出剤をさらに含んで成る、請求項４また５に記載の製剤。
【請求項１２】
前記局所用に処方された製剤がリポソームをさらに含んで成る、請求項６記載の製剤。
【手続補正書】
【提出日】平成25年8月15日(2013.8.15)
【手続補正１】
【補正対象書類名】特許請求の範囲
【補正対象項目名】全文
【補正方法】変更
【補正の内容】
【特許請求の範囲】
【請求項１】
溶媒和物形態の結晶形態の３２−デオキソラパマイシン。
【請求項２】
有機溶媒との溶媒和物形態である、請求項１記載の３２−デオキソラパマイシン。
【請求項３】
アセトン溶媒和物の形態の、請求項１または２記載の３２−デオキソラパマイシン。
【請求項４】
プロピレングリコール溶媒和物の形態の、請求項１または２記載の３２−デオキソラパマイシン。
【請求項５】
水和物の形態の、請求項１記載の３２−デオキソラパマイシン。
【請求項６】
式
【化１】
2013136631.tif 000001
［式中、
Ｒ１は、アルキル、アルケニル、アルキニル、ヒドロキシアルキル、ヒドロキシアルケニル、ヒドロキシアルキニル、ベンジル、アルコキシベンジルまたはクロロベンジルであり、
Ｒ２は、式
【化２】
2013136631.tif 000002
または式
【化３】
2013136631.tif 000003
｛式中、
Ｒ３は、Ｈ、アルキル、アルケニル、アルキニル、アリール、アリールアルキル、ヒドロキシアリールアルキル、ヒドロキシアリール、ヒドロキシアルキル、ジヒドロキシアルキル、ヒドロキシアルコキシアルキル、ヒドロキシアルキルアリールアルキル、ジヒドロキシアルキルアリールアルキル、アルコキシアルキル、アルキルカルボニルオキシアルキル、アミノアルキル、アルキルアミノアルキル、アルコキシカルボニルアミノアルキル、アルキルカルボニルアミノアルキル、アリールスルホンアミドアルキル、アリル、ジヒドロキシアルキルアリル、ジオキソラニルアリル、カルバルコキシアルキルおよびアルキルシリルから選択され；
Ｒ４は、Ｈ、メチルであるか、またはＲ３と一体となってＣ２−６アルキレンを形成し；
Ｒ５は、Ｒ６Ｏ−ＣＨ２−（式中、Ｒ６は、Ｈ、アルキル、アルケニル、アルキニル、アリール、アルキルカルボニル、アリールカルボニル、ヘテロアリールカルボニル、ヒドロキシアルキルカルボニル、アミノアルキルカルボニル、ホルミル、アリールアルキル、ヒドロキシアリールアルキル、ヒドロキシアリール、ヒドロキシアルキル、ジヒドロキシアルキル、ヒドロキシアルコキシアルキル、ヒドロキシアルキルアリールアルキル、ジヒドロキシアルキルアリールアルキル、アルコキシアルキル、アルキルカルボニルオキシアルキル、アミノアルキル、アルキルアミノアルキル、アルコキシカルボニルアミノアルキル、アルキルカルボニルアミノアルキル、アリールスルホンアミドアルキル、アリル、ジヒドロキシアルキルアリル、ジオキソラニルアリルおよびカルバルコキシアルキルから選択される。）、
Ｒ７ＣＯ−（式中、Ｒ７は、Ｈ、アルキル、ヒドロキシ、アルコキシ、アリールオキシ、アミノ、アルキルアミノまたはＮ，Ｎ−二置換−アミノから選択され、ここで、該置換基は、アルキル、アリールまたはアリールアルキルから選択される。）、
Ｒ８ＮＣＨ−（式中、Ｒ８は、アルキル、アリール、アミノ、アルキルアミノ、アリールアミノ、ヒドロキシ、アルコキシまたはアリールスルホニルアミノである。）、
−Ｏ−ＣＨ−Ｏ−、または置換ジオキシメチレンである。｝
であり；
Ｙは、Ｏ、（Ｈ，ＯＨ）、および（Ｈ，ＯＲ９）
｛式中、Ｒ９は、Ｃ１−４アルキル、アルキルカルボニル、アリールカルボニル、ヘテロアリールカルボニル、ヒドロキシアルキルカルボニル、アミノアルキルカルボニル、ホルミルまたはアリールから選択される。｝
から選択され、
Ｒ’は、アリールチオノカルボネートまたはアリールチオノカルバメート残基（アリールチオノカルボネートまたはアリールチオノカルバメートは、−Ｏ−原子を介して環構造の３２位のＣ原子に結合している。）である。］
で示される化合物の製造方法であって、
有機溶媒中、塩基の存在下、および所望により、Ｎ−ヒドロキシスクシンイミドまたは４−ジメチルアミノピリジンのようなスクシンイミドのような縮合剤の存在下で、
式Ｉ
【化４】
2013136631.tif 000004
で示される化合物（式中、Ｘは、ヒドロキシであり、Ｒ１、Ｒ２およびＹは、上記で定義の通りである。）を、式Vlll
【化５】
2013136631.tif 000005
｛式中、Ｈａｌは、ハロゲンであり、ＡＲＹＬは、Ｃ６−１８アリールオキシである｝
で示される活性形のアリールチオノカルボネート、または式Vll
【化６】
2013136631.tif 000006
｛式中、ＡＲＹＬは、Ｎ、Ｏ、Ｓから選択される１ないし４個のヘテロ原子を含む、５員または６員のアリール（arylic）ヘテロシクリルである。ただし、ヘテロシクリルは、少なくとも１個のＮを含み、該ヘテロシクリルは、ヘテロ環式窒素原子を介して式Vllの化合物のＣ＝Ｓ基に結合する。｝
で示される活性形のアリールチオノカルバメート、もしくは式lX
式
【化７】
2013136631.tif 000007
｛式中、ＡＲＹＬ’は、それぞれ独立して、上記のＡＲＹＬで定義されるアリールヘテロシクリルである。｝
で示される活性形のアリールチオノカルバメート化合物で処理し、
反応混合物から得られた式ＶＩの化合物を単離することを含む、方法。
【請求項７】
式ＶＩの化合物が保護形態である、請求項６記載の方法。
【請求項８】
式Vlllにおける置換基Ｈａｌがクロロである、請求項６または７記載の方法。
【請求項９】
式Vlllにおける置換基Ｈａｌがブロモである、請求項６または７記載の方法。
【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
処理データの生成条件を示すデータ生成条件を生成する生成条件生成手段と、
処理データの出力条件を示すデータ出力条件を生成する出力条件生成手段と、
処理データのパスワードを取得するパスワード取得手段と、
処理データの出力要求に応じて、前記データ生成条件とデータ出力条件を取得し、前記データ生成条件と前記データ出力条件とが一致する場合、処理データを出力し、一致しなかった場合は、前記パスワード取得手段にて処理データのパスワード取得を行い、処理データ生成時に指定されたパスワードが入力された場合は、処理データを出力し、処理データ生成時に指定されたパスワード以外が入力された場合は処理データの出力を行わないよう制御する出力手段とを有すること
を特徴とする情報処理装置。
【請求項２】
前記データ生成条件として、処理データの生成処理を実施した情報処理装置のＭＡＣアドレスを使用し、前記データ出力条件として、処理データの出力を行おうとしている情報処理装置のＭＡＣアドレスを使用すること
を特徴とする請求項１記載の情報処理装置。
【請求項３】
前記データ生成条件として、情報処理を要求した利用者が画像形成装置にログインする際の識別情報を使用し、前記データ出力条件として、処理データの出力を要求した利用者が情報処理装置にログインする際の識別情報を使用すること
を特徴とする請求項１又は請求項２のいずれかに記載の情報処理装置。
【請求項４】
前記データ生成条件として、生成する処理データを一意に識別するための識別子と処理データの生成を指示した利用者が情報処理装置にログインする際の識別情報、処理データを生成した情報処理装置を一意に識別するためのＭＡＣアドレスのセットを使用し、
前記データ出力条件として、出力が要求された処理データのヘッダ部から取得した処理データを一意に識別するための識別子と処理データの出力を指示した利用者が情報処理装置にログインする際の識別情報、処理データを出力しようとしている情報処理装置を一意に識別するためのＭＡＣアドレスのセットを使用すること
を特徴とする請求項１記載の情報処理装置。
【請求項５】
出力要求のあった処理データのデータ生成条件が取得できなかった場合、予め指定された別の情報処理装置からデータ生成条件を取得する生成条件取得手段を有すること
を特徴とする請求項１乃至４のいずれか記載の情報処理装置。
【請求項６】
前記別の情報処理装置は所定のリストで管理されており、
当該リストに記載されている別の情報処理装置のデータ生成条件として、当該別の情報処理装置のＭＡＣアドレス、或いは出力要求をした利用者が当該別の情報処理装置にログインする際の識別情報を取得すること
を特徴とする請求項５に記載の情報処理装置。
【請求項７】
前記処理データは画像データであることを特徴とする請求項１乃至６のいずれかに記載の情報処理装置。
【手続補正２】
【補正対象書類名】明細書
【補正対象項目名】発明の名称
【補正方法】変更
【補正の内容】
【発明の名称】情報処理装置
【手続補正３】
【補正対象書類名】明細書
【補正対象項目名】０００１
【補正方法】変更
【補正の内容】
【０００１】
本発明は、セキュリティ確保の観点から画像データ毎にパスワードを設定することが可能な情報処理装置に関する。
【手続補正４】
【補正対象書類名】明細書
【補正対象項目名】０００６
【補正方法】変更
【補正の内容】
【０００６】
そこで、本発明は上述の技術的な課題に鑑み、セキュリティを確保しつつ、利用者が画像生成時に設定したパスワードの入力を省略することができるようにして、画像データ出力時の操作性を向上させた情報処理装置を提供することを目的とする。
【手続補正５】
【補正対象書類名】明細書
【補正対象項目名】０００７
【補正方法】変更
【補正の内容】
【０００７】
上述技術的な課題を解決するため、本発明の画像形成装置は、処理データの生成条件を示すデータ生成条件を生成する生成条件生成手段と、処理データの出力条件を示すデータ出力条件を生成する出力条件生成手段と、処理データのパスワードを取得するパスワード取得手段と、処理データの出力要求に応じて、前記データ生成条件とデータ出力条件を取得し、前記データ生成条件と前記データ出力条件とが一致する場合、処理データを出力し、一致しなかった場合は、前記パスワード取得手段にて処理データのパスワード取得を行い、処理データ生成時に指定されたパスワードが入力された場合は、処理データを出力し、処理データ生成時に指定されたパスワード以外が入力された場合は処理データの出力を行わないよう制御する出力手段とを有することを特徴としている。
【手続補正６】
【補正対象書類名】明細書
【補正対象項目名】０００８
【補正方法】変更
【補正の内容】
【０００８】
本発明に係る情報処理装置によれば、セキュリティを確保しつつ、利用者が画像生成時に設定したパスワードの入力を省略することができるようにして、画像データ出力時の操作性を向上させることが可能となる。
【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
第１キャビネットと第２キャビネットとを互いにスライド可能に連結して構成された機器本体を具え、各キャビネットの表面には操作部及び／又は表示部が設置され、前記機器本体は、両キャビネットが閉じて前記第１キャビネット側の操作部及び／又は表示部の少なくとも一部が第２キャビネットによって被覆された閉じ状態と、両キャビネットが開いて前記第１キャビネット側の操作部及び／又は表示部の全体が露出した開き状態との間で状態を変更させることが可能である一方、前記第１キャビネットの表面には、前記機器本体が前記閉じ状態と開き状態の何れの状態に設定されている場合においても第２キャビネットによって被覆されることとなる被覆領域が設けられており、前記第１キャビネットの表面には更に、操作部及び／又は表示部の設置領域とは異なる領域に、第１キャビネットをその表面から内面へ貫通する貫通孔が開設され、第１キャビネットの内面側には、マイクロフォンが、その集音面を前記貫通孔に向けた姿勢で配備されているスライド式携帯電子機器において、
前記第１キャビネットと第２キャビネットとの間には隙間が形成されており、前記貫通孔は、前記第１キャビネットの表面の前記被覆領域に形成されることにより、前記隙間を介して前記機器本体の外部に通じていることを特徴とするスライド式携帯電子機器。
【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
基部と、
前記基部から延出する振動腕と、
前記振動腕上に設けられ、第１の電極層および第２の電極層に挟まれた圧電体層を備えた圧電体素子と、を備え、
前記第１の電極層、前記圧電体層および前記第２の電極層のうちの少なくとも１つの層には、その厚さ方向に貫通する複数の孔が設けられていることを特徴とする振動体。
【請求項２】
前記複数の孔は、前記第１の電極層に設けられている請求項１に記載の振動体。
【請求項３】
前記複数の孔は、前記第１の電極層および前記第２の電極層に設けられている請求項１に記載の振動体。
【請求項４】
前記複数の孔は、平面視したときに面内で均一に分散して設けられている請求項１ないし３のいずれか一項に記載の振動体。
【請求項５】
前記孔は、平面視したときに円形をなしている請求項１ないし４のいずれか一項に記載の振動体。
【請求項６】
前記複数の孔の平均径は、０．０１〜１００μｍである請求項５に記載の振動体。
【請求項７】
前記各孔は、平面視したときに、スリット状をなしている請求項１ないし６のいずれか一項に記載の振動体。
【請求項８】
前記スリット状の複数の孔の平均幅は、０．０１〜１００μｍである請求項７に記載の振動体。
【請求項９】
平面視したときに、前記複数の孔が設けられた層の面積に対して前記複数の孔が占める面積の割合は、０．１〜０．８である請求項１ないし８のいずれか一項に記載の振動体。
【請求項１０】
請求項１ないし９のいずれか一項に記載の振動体と、
前記振動体を収納するパッケージと、を有することを特徴とする振動デバイス。
【請求項１１】
請求項１ないし９のいずれか一項に記載の振動体を備えた電子機器。
【手続補正２】
【補正対象書類名】明細書
【補正対象項目名】発明の名称
【補正方法】変更
【補正の内容】
【発明の名称】振動体、振動デバイス、および電子機器
【手続補正３】
【補正対象書類名】明細書
【補正対象項目名】０００７
【補正方法】変更
【補正の内容】
【０００７】
本発明は、上述の課題の少なくとも一部を解決するためになされたものであり、以下の形態または適用例として実現することが可能である。
［適用例１］
本発明の振動体は、基部と、
前記基部から延出する少なくとも１つの振動腕と、
前記振動腕上に設けられ、通電により伸縮して前記振動腕を振動させる圧電体素子とを有し、
前記圧電体素子は、前記振動腕上に設けられた第１の電極層と、該第１の電極層上に設けられた圧電体層と、該圧電体層上に設けられた第２の電極層とを備え、
前記第１の電極層、前記圧電体層および前記第２の電極層のうちの少なくとも１つの層には、その厚さ方向に貫通する複数の孔が形成されていることを特徴とする。
また、他の態様では、基部と、前記基部から延出する振動腕と、前記振動腕上に設けられ、第１の電極層および第２の電極層に挟まれた圧電体層を備えた圧電体素子と、を備え、前記第１の電極層、前記圧電体層および前記第２の電極層のうちの少なくとも１つの層には、その厚さ方向に貫通する複数の孔が設けられていることを特徴とする。
【手続補正４】
【補正対象書類名】明細書
【補正対象項目名】００１０
【補正方法】変更
【補正の内容】
【００１０】
［適用例３］
本発明の振動体では、前記複数の孔は、前記第１の電極層に設けられていることが好ましい。
第１の電極層に複数の孔を形成することにより、その形成状態に応じて、圧電体層の配向性を調整することができる。
【手続補正５】
【補正対象書類名】明細書
【補正対象項目名】００１３
【補正方法】変更
【補正の内容】
【００１３】
［適用例６］
本発明の振動体では、前記複数の孔は、前記圧電体層に形成されていることが好ましい。
これにより、第１の電極層および第２の電極層の実効的な面積を小さくすることができる。
［適用例７］
本発明の振動体では、前記複数の孔は、平面視したときに面内で均一に分散して設けられていることが好ましい。
これにより、圧電体素子を所望の振動特性に比較的簡単に調整することができる。
【手続補正６】
【補正対象書類名】明細書
【補正対象項目名】００１７
【補正方法】変更
【補正の内容】
【００１７】
［適用例１３］
本発明の振動体では、平面視したときに、前記複数の孔が設けられた層の面積に対して前記複数の孔が占める面積の割合は、０．１〜０．８であることが好ましい。
これにより、圧電体素子の機械的強度の低下を防止しつつ、圧電体素子を所望の振動特性に調整することができる。
【手続補正７】
【補正対象書類名】明細書
【補正対象項目名】００１８
【補正方法】変更
【補正の内容】
【００１８】
［適用例１４］
本発明の振動デバイスは、本発明の振動体と、
前記振動体を収納するパッケージと、を有することを特徴とする。
また、本発明の電子機器は、本発明の振動体を備えることを特徴とする。
これにより、本発明の振動デバイスおよび電子機器は、比較的簡単かつ安価に所望の振動特性を得ることができる。
【手続補正書】
【提出日】平成25年5月16日(2013.5.16)
【手続補正１】
【補正対象書類名】特許請求の範囲
【補正対象項目名】請求項１
【補正方法】変更
【補正の内容】
【請求項１】
巻線を螺旋状に巻回した一対のコイル素子を互いに並列状態で連結したコイルと、両コイル素子に嵌め込まれて環状のコアの一部を構成する内側コア部と、各コイル素子から露出して内側コア部同士を連結することで環状のコアの残部を形成する露出コア部とを備えるリアクトルであって、
前記コイルとコアとの組立体の少なくとも一部を覆う外側樹脂部を備え、
前記露出コア部のうち、前記コイルの端面に対向する内端面と、この内端面につながる隣接面のうち側面との接合箇所の一部にのみ切欠角部を備え、
前記切欠角部は、前記内端面と前記側面との稜線を丸めることで構成されてなるリアクトル。